【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
第１の電源電圧が閾値電圧より大きい場合に出力において出力信号を搬送するように構成された増幅器出力ステージの第１のパス、ここにおいて、前記第１のパスの少なくとも一部は、前記第１の電源電圧が前記閾値電圧と等しいまたはより小さい場合に前記出力から絶縁される、および、
前記第１の電源電圧が前記閾値電圧と等しいまたはより小さい場合に前記出力信号を前記出力に搬送するように構成された前記増幅器出力ステージの第２のパス、
を備え、前記第２のパスの少なくとも一部は、前記出力ステージにおいて受信された前記第１の電源電圧が前記閾値電圧より大きい場合に前記出力から絶縁される、装置。
【請求項２】
前記第１のパスは、前記第１の電源電圧と前記出力の間に接続された第１のトランジスタと、第２の電源電圧と前記出力の間に接続された第２のトランジスタを含み、前記第２のパスは、前記第２のトランジスタと、前記第１の電源電圧と前記出力の間に接続された第３のトランジスタを含む、請求項１に記載の装置。
【請求項３】
前記第３のトランジスタへフィードバックバイアス電流制御パスを提供するための少なくとも１つのトランジスタ、および、
前記第３のトランジスタのゲートへ駆動信号を搬送するための少なくとも１つのトランジスタ、
をさらに備える、請求項２に記載の装置。
【請求項４】
前記第３のトランジスタは、前記第１のトランジスタの第１の端子に接続された第１の端子と前記第１のトランジスタの第２の端子に接続された第２の端子を有し、かつ、前記第１の電源電圧が前記閾値電圧より小さいまたは等しい場合に導通するように構成された、請求項２に記載の装置。
【請求項５】
前記第３のトランジスタと前記第２のトランジスタは、前記第１の電源電圧が実質的にゼロボルトの場合に導通状態で動作するように構成される、請求項２に記載の装置。
【請求項６】
前記第１のトランジスタは、前記第１の電源電圧が前記閾値電圧より小さいまたは等しい場合に非導通状態になるように構成される、請求項２に記載の装置。
【請求項７】
前記負の電源電圧と電流ソースの間に接続され、かつ、前記第３のトランジスタへフィードバックバイアス電流制御パスを提供するように構成された第４のトランジスタをさらに備える、請求項２に記載の装置。
【請求項８】
前記第３のトランジスタのゲートへ駆動信号を搬送するように構成された複数のトランジスタをさらに備える、請求項２に記載の装置。
【請求項９】
前記第３のトランジスタは、前記第１のトランジスタのソースと前記第１の電源電圧に接続されたドレイン、および、前記第１のトランジスタのドレインと前記出力に接続されたソースを有する、請求項２に記載の装置。
【請求項１０】
前記第３のトランジスタのゲートは、第１の駆動トランジスタのドレインと第２の駆動トランジスタのドレインの間に接続される、請求項２に記載の装置。
【請求項１１】
前記増幅器は、前記第１のパスと前記第２のパスのうちの１つから前記出力信号を搬送することから他方のパスに前記出力信号を搬送することへの遷移を制御するためのバイアシング回路をさらに備える、請求項１に記載の装置。
【請求項１２】
前記増幅器は、前記出力ステージに静止電流を設定するためのバイアシング回路をさらに備える、請求項１に記載の装置。
【請求項１３】
前記バイアシング回路は、第１のトランジスタを経由する電流をレプリケートする第１のスケールされた電流と、第２のトランジスタを経由する電流をレプリケートする第２のスケールされた電流と、第３のトランジスタを経由する電流をレプリケートする第３のスケールされた電流を生成するように構成される、請求項１２に記載の装置。
【請求項１４】
前記バイアシング回路は、前記第１のスケールされた電流に基づく第１のバイアス電圧と、前記第２のスケールされた電流と前記第３のスケールされた電流に基づく第２のバイアス電圧を生成するように構成される、請求項１３に記載の装置。
【請求項１５】
出力ステージの正の電源電圧が閾値電圧より大きい場合に増幅器の前記出力ステージの第１のパスを介して出力ノードにおいて出力を搬送すること、
前記出力ステージの前記正の電源電圧が前記閾値電圧より小さいまたは等しい場合に前記出力ノードから前記第１のパスの少なくとも一部を絶縁すること、
前記出力ステージの前記正の電源電圧が前記閾値電圧より小さいまたは等しい場合に前記出力ステージの第２の異なるパスを介して前記出力を前記出力に搬送すること、および、
前記出力ステージにおいて受信された前記正の電源電圧が前記閾値電圧より大きい場合に前記出力ノードから前記第２の異なるパスの少なくとも一部を絶縁すること、
を備える、方法。
【手続補正２】
【補正対象書類名】明細書
【補正対象項目名】００５５
【補正方法】変更
【補正の内容】
【００５５】
[0057]開示された例示的な実施例の前の説明は、本発明を作成または使用することを当業者に可能にするために提供される。これらの例示的な実施例に対する種々の変更は、当業者にとって容易に明らかであり、ここで定義された一般的な原則は、本発明の精神または範囲から逸脱することなく他の実施例に適用され得る。従って、本発明は、ここに示された例示的な実施例に限定されることを意図するものではないが、ここに開示された原則および新規事項に調和する最も広い範囲に適合させるべきである。
以下に本願発明の当初の特許請求の範囲に記載された発明を付記する。
［Ｃ１］
第１の電源電圧が閾値電圧より大きい場合に出力信号を搬送するように構成された増幅器出力ステージの第１のパス、および、
前記第１の電源電圧が前記閾値電圧と等しいまたはより小さい場合に前記出力信号を搬送するように構成された前記増幅器出力ステージの第２のパス、
を備える装置。
［Ｃ２］
前記第１のパスは、前記第１の電源電圧と出力の間に接続された第１のトランジスタと第２の電源電圧と前記出力の間に接続された第２のトランジスタを含み、前記第２のパスは、前記第２のトランジスタと、前記第１の電源電圧と前記出力の間に接続された第３のトランジスタと、を含む、Ｃ１に記載の装置。
［Ｃ３］
前記第３のトランジスタへフィードバックバイアス電流制御パスを提供するための少なくとも１つのトランジスタ、および、
前記第３のトランジスタのゲートへ駆動信号を搬送するための少なくとも１つのトランジスタ、
をさらに備える、Ｃ２に記載の装置。
［Ｃ４］
前記第３のトランジスタは、前記第１のトランジスタの第１の端子に接続された第１の端子と前記第１のトランジスタの第２の端子に接続された第２の端子を有し、かつ、前記第１の電源電圧が前記閾値電圧より小さいまたは等しい場合に導通するように構成された、Ｃ２に記載の装置。
［Ｃ５］
前記第３のトランジスタと前記第２のトランジスタは、前記第１の電源電圧が実質的にゼロボルトの場合に導通状態になるように構成される、Ｃ２に記載の装置。
［Ｃ６］
前記第１のトランジスタは、前記第１の電源電圧が前記閾値電圧より小さいまたは等しい場合に非導通状態になるように構成される、Ｃ２に記載の装置。
［Ｃ７］
前記負の電源電圧と電流ソースの間に接続され、かつ、前記第３のトランジスタへフィードバックバイアス電流制御パスを提供するように構成された第４のトランジスタをさらに備える、Ｃ２に記載の装置。
［Ｃ８］
前記第３のトランジスタのゲートへ駆動信号を搬送するように構成された複数のトランジスタをさらに備える、Ｃ２に記載の装置。
［Ｃ９］
前記第３のトランジスタは、前記第１のトランジスタのソースと前記第１の電源電圧に接続されたドレイン、および、前記第１のトランジスタのドレインと前記出力に接続されたソースを有する、Ｃ２に記載の装置。
［Ｃ１０］
前記第３のトランジスタのゲートは、第１の駆動トランジスタのドレインと第２の駆動トランジスタのドレインの間に接続される、Ｃ２に記載の装置。
［Ｃ１１］
前記増幅器は、前記第１のパスと前記第２のパスのうちの１つから前記出力信号を搬送することから他方のパスに前記出力信号を搬送することへの遷移を制御するためのバイアシング回路をさらに備える、Ｃ１に記載の装置。
［Ｃ１２］
前記増幅器は、前記出力ステージに静止電流を設定するためのバイアシング回路をさらに備える、Ｃ１に記載の装置。
［Ｃ１３］
前記バイアシング回路は、前記第１のトランジスタを経由する電流をレプリケートする第１のスケールされた電流と、前記第２のトランジスタを経由する電流をレプリケートする第２のスケールされた電流と、前記第３のトランジスタを経由する電流をレプリケートする第３のスケールされた電流を生成するように構成される、Ｃ１２に記載の装置。
［Ｃ１４］
前記バイアシング回路は、前記第１のスケールされた電流に基づく第１のバイアス電圧と、前記第２のスケールされた電流と前記第３のスケールされた電流に基づく第２のバイアス電圧を生成するように構成される、Ｃ１３に記載の装置。
［Ｃ１５］
出力ステージの正の電源電圧が閾値電圧より大きい場合に増幅器の前記出力ステージの第１のパスを介して出力を搬送すること、および
前記出力ステージの前記正の電源電圧が前記閾値電圧より小さいまたは等しい場合に前記出力ステージの第２の異なるパスを介して前記出力を搬送すること、
を備える、方法。
［Ｃ１６］
第２の異なるパスを介して前記出力を搬送することは、前記正の電源電圧が実質的に０．４ボルトまたはそれより小さい場合に前記第２の異なるパスを介して前記出力を搬送することを備える、Ｃ１５に記載の方法。
［Ｃ１７］
第１のパスを介して出力を前記搬送することは、前記出力ステージの第１および第２のトランジスタを用いて前記出力を生成することを備え、および第２の異なるパスを介して前記出力を前記搬送することは、前記出力ステージの前記第２のトランジスタと第３のトランジスタを用いて前記出力を生成することを備える、Ｃ１５に記載の方法。
［Ｃ１８］
出力ステージの正の電源電圧が閾値電圧より大きい場合に増幅器の前記出力ステージの第１のパスを介して出力を搬送するための手段、および、
前記正の電源電圧が前記閾値電圧より小さいまたは等しい場合に前記出力ステージの第２の異なるパスを介して前記出力を搬送するための手段、
を備える、装置。
［Ｃ１９］
前記出力ステージへフィードバックバイアス電流制御パスを提供するための手段をさらに備える、Ｃ１８に記載の装置。
［Ｃ２０］
前記第２の異なるパスを経由する電流をレプリケートするスケールされた電流を生成するための手段を含む前記出力ステージに静止電流を設定するための手段をさらに備える、Ｃ１８に記載の装置。